(57)【要約】【課題】ガードル等のような女性用下着を提供する。【解決手段】本発明はガードル等のような女性用下着に関する。下着は、前側範囲（２）と、後側範囲（４）と、大腿部を取り囲む脚範囲（８）と、ウエスト範囲（６）と、股上範囲（９）から後側範囲（４）の縦中心線（Ｓ−Ｓ）に沿ってウエスト範囲（６）まで延在する縫着部（１０）とを有する、好ましくは収縮性繊維材料の１枚または複数枚の裁断片からなっている。本発明に従い、縫着部（１０）が股上範囲（９）と、ウエスト範囲（６）から中央背部範囲（１４）まで延在する範囲とにおいて伸長可能に形成され、その間に位置する、腰部範囲を形成する範囲において伸長不能に形成されている。【選択図】図１
2008274537.tif 000002
【特許請求の範囲】
【請求項１】
前側範囲（２）と、後側範囲（４）と、大腿部を取り囲む脚範囲（８）と、ウエスト範囲（６）と、股上範囲（９）から後側範囲（４）の縦中心線Ｓ−Ｓに沿って上記ウエスト範囲（６）まで延在する縫着部（１０）とを有し、好ましくは収縮性繊維材料の１枚または複数枚の裁断片からなる、ガードル等のような女性用下着において、
上記縫着部（１０）が股上範囲（９）と、ウエスト範囲（６）から中央背部範囲（１４）まで延在する範囲とにおいて伸長可能に形成され、その間に位置する、腰部範囲を形成する範囲にて伸長不能に形成されていることを特徴とする下着。
【請求項２】
上記縫着部（１０）の第１の伸長可能範囲が、ほぼ前側部分（３）の下端（１１）から股上範囲（９）の後端（１３）まで長さＬ１にわたって延在していることを特徴とする請求項１に記載の下着。
【請求項３】
上記縫着部（１０）の伸長不能範囲が、ほぼ股上範囲（９）の後端（１３）から中央背部範囲（１４）まで長さＬ２にわたって延在していることを特徴とする請求項１または２に記載の下着。
【請求項４】
上記縫着部（１０）の第２の伸長可能範囲が、ほぼ中央背部範囲（１４）からウエスト範囲（６）まで長さＬ３にわたって延在していることを特徴とする請求項１〜３のいずれか一項に記載の下着。
【請求項５】
上記縫着部（１０）が伸長可能な範囲にて弾性帯（１２、１６）によって補強されていることを特徴とする請求項１〜４のいずれか一項に記載の下着。
【請求項６】
上記縫着部（１０）が伸長不能範囲にて非弾性帯（１５）によって補強されていることを特徴とする請求項１〜５のいずれか一項に記載の下着。
【請求項７】
ウエスト範囲（６）が収縮性のあるウエストバンド（７）によって縁取りされていることを特徴とする請求項１〜６のいずれか一項に記載の下着。
【発明の詳細な説明】
【技術分野】
【０００１】
本発明は、請求項１の前提部分（所謂おいて部分、プリアンブル部分）に記載した特徴を有する、ガードル等のような女性用下着に関する。
【背景技術】
【０００２】
特にガードル等のような女性用下着は通常、繊維材料の１枚または複数枚の裁断片からなっている。この裁断片はガードルの前側部分と後側部分とを有し、下着を形成するためにウエスト開口と２つの脚開口を残して互いに対応するエッジにおいて相互接合、特に縫い合わせられている。さらに、縫着部が股上範囲とそれから出発して縦中心線に沿って後側範囲内に存在するように、このようなガードル用裁断片を選択することが知られている。この場合、大腿部を取り囲む脚範囲は同様に、股上範囲から出発して大腿部を取り囲む範囲の内側で縫い合わせられている。
【０００３】
特に体の腹部範囲と腰部範囲を目立たないように整形するこの種のガードルは、ある程度の収縮性を有する繊維材料からなっている。股上範囲から後側範囲まで延在する裁断片部分の縫着部を補強して、ガードルの整形特性を強めるために、縦方向に延在する帯が縫着部に挿入される。この帯が収縮特性を有すると、往々にして腰部範囲を満足できるように整形することができない。非弾性帯を使用すると、着用者の体の動きを妨げ、このようにして補強された縫着部が特に股上範囲において邪魔に感じるという恐れがある。
【発明の開示】
【発明が解決しようとする課題】
【０００４】
この背景に照らして、本発明の根底をなす課題は、これらの欠点を回避するために、股上範囲と後側範囲に延在する裁断片の部分の縫着部を形成する方法を提供することである。
【課題を解決するための手段】
【０００５】
本発明に従い、この課題は、請求項１に記載した特徴を有する、ガードル等のような女性用下着によって解決される。
【０００６】
他の有利な実施形態は従属請求項から明らかである。
【０００７】
本発明の基本思想は、股上範囲から縦中心線に沿って後側範囲まで延在する、本発明にかかるガードルの裁断片の縫着部または裁断片の部分の縫着部が、きわめて敏感な股上範囲において、場合によっては弾性帯を挿入することによって伸長可能に形成され、股上範囲の端部から中央背部範囲まで延在する範囲において、場合によっては非弾性帯を挿入することによって伸長不能に形成され、そしてさらに、この範囲に続いてウエスト範囲まで、縫着部が伸長可能に形成されていることにある。
【０００８】
ガードルの本発明に係る形成の利点は特に、股上範囲において伸長可能に形成された縫着部が邪魔に感じられず、一方、それに接合する後側範囲がその伸長不能な形成によって腰部範囲と臀部範囲を良好に整形できることにある。伸長不能なこの範囲の端部からウエスト範囲まで延在する伸長可能に形成された縫着部の範囲により、体を動かす際に、弾性的な引張り力がウエスト範囲またはウエストバンドに縦方向に全く作用しないかまたは最小限の強さでしか作用しないので、例えばかがむときにウエストバンドが下方に引っ張られることがない。
【０００９】
次に、図に基づいて本発明を詳しく説明する。
【発明を実施するための最良の形態】
【００１０】
図１は、人の下半身範囲を取り囲んで整形するガードル１の部分だけの概略的な縦断面図である。ガードル１はその前側範囲２に前側部分３を有し、その後側範囲４に後側部分５を有する。ウエスト範囲６はウエストバンド７によって縁取りされている。ウエスト範囲６の反対側に脚範囲８が示してある。この脚範囲内においてガードル１は着用者の大腿部を取り囲んでいる。図は本発明にとって重要なガードル１の範囲だけを示している。ウエスト範囲６、特にウエストバンド７と、脚範囲８は、基本的には任意に形成可能である。場合によってはウエスト範囲６を越えて下着を延長することと、脚範囲の長さは、本発明にとって重要ではない。
【００１１】
前側部分３と後側部分５は股上範囲９と後側範囲４において縫着部１０によって接合されている。この縫着部はガードル１の縦中心線Ｓ−Ｓ（図２）に沿って延在している。この縫着部１０は前側部分３の下端１１から長さＬ１にわたって延在する股上範囲９内で弾性的に伸長し得るように形成されている。この形成は例えば、図１において破線で示す弾性帯１２の挿入によって行われる。伸長性は矢印によって示してある。
【００１２】
股上範囲９の後端１３からガードル１の中央背部範囲１４まで長さＬ２にわたって延在する縫着部１０の部分は、非弾性帯１５を挿入することによって非弾性に形成されている。従って、矢印によって示す整形力を、腰部範囲または臀部範囲に加えることができる。中央背部範囲１４からウエスト範囲６、特にウエストバンド７まで長さＬ３にわたって延在する縫着部１０の範囲は、弾性帯１６を挿入することによって伸長可能に形成されている。この伸長性も矢印によって示してある。
【００１３】
本発明の適用はもちろん、ガードルの図示例に限定されない。本発明は、例えばオールインワン、コルセット、水着等のような他の下着にも十分適用可能である。本発明はさらに、所定の材料の使用に限定されない。本発明にとって、個々の裁断部分の間の縫着部１０が股上範囲９と後側範囲５の上側部分において弾性に形成され一方、その間にある、腰部範囲および臀部範囲を形成する範囲が非弾性に形成されていることだけが重要である。
【図面の簡単な説明】
【００１４】
【図１】本発明に従って形成されたガードルを着用した人の下半身範囲の概略的な縦断面図である。
【図２】下半身範囲の背面図である。
【符号の説明】
【００１５】
１          ガードル
２          前側範囲
３          前側部分
４          後側範囲
５          後側部分
６          ウエスト範囲
７          ウエストバンド
８          脚範囲
９          股上範囲
１０        縫着部
１１        前側部分の下端
１２        弾性帯
１３        股上範囲の後端
１４        中央背部範囲
１５        非弾性帯
１６        弾性帯
Ｌ１        股上範囲の長さ
Ｌ２        下側の背部範囲の長さ
Ｌ３        上側の背部範囲の長さ
Ｓ−Ｓ      縦中心線
【図１】
2008274537.tif 000003
【図２】
2008274537.tif 000004